(57)【特許請求の範囲】
【請求項１】
ハウジング内に外部からの電波を受信するためのアンテナを備えた無線機能付き機器類のアンテナの上方に配置される表示板であって、
前記アンテナの視認側に配置された、非導電性の下板部材と、
前記下板部材の視認側に、少なくとも一部が下板部材と離間するように配置された、導電性の上板部材とを備え、
前記上板部材が、下板部材に対して、視認側に膨出する部分を有するとともに、
前記上板部材の前記膨出する部分には、下板部材と離間した領域を含む少なくとも１つの開口部が形成されていることを特徴とする表示板。
【請求項２】
前記上板部材が、下板部材に対して傾斜するように配置されていることを特徴とする請求項１に記載の表示板。
【請求項３】
前記膨出部分が、上板部材の外周部分から、中心部分に向かってドーム形状に膨出するように形成されていることを特徴とする請求項１または２に記載の表示板。
【請求項４】
前記上板部材と下板部材とが、接合層を介して、固定されていることを特徴とする請求項１から３のいずれかに記載の表示板。
【請求項５】
前記接合層が、接着剤、粘着剤、接合テープから選択した少なくとも一つの接合層から構成されていることを特徴とする請求項４に記載の表示板。
【請求項６】
前記上板部材が、下板部材に立設した支柱部材によって、下板部材と一定間隔離間するように配置されていることを特徴とする請求項１から５のいずれかに記載の表示板。
【請求項７】
前記アンテナが、上板部材の開口部に対応して配置されている請求項１から６のいずれかに記載の表示板を備えたことを特徴とする無線機能付き機器類。
【発明の詳細な説明】
【技術分野】
【０００１】
本発明は、例えば、電波式腕時計、腕時計型ページャ、携帯電話、携帯テレビ、携帯ラジオなど、電波を利用して各種の情報を受信する携帯型の小型情報端末などの無線機能付き機器類に用いられ、無線機能付き機器類の上方に配置される表示板およびそれを用いた無線機能付き機器類に関する。
【０００２】
また、本発明は、上記無線機能付き機器類において、例えば、ソーラーセル（太陽電池）からなるソーラー発電装置を備えた無線機能付き機器類の上方に配置される表示板およびそれを用いた無線機能付き機器類に関する。
【背景技術】
【０００３】
従来、パソコン通信機能、携帯電話機能や非接触式ＩＣカード機能などの無線機能を備える時計は、すでに知られている。
このような無線機能付き時計として、時刻情報を含む長波標準電波（搬送波）を受信し、その時刻情報に基づいて時刻を修正する無線機能を備えた電波時計も、また広く知られている。
【０００４】
これらの無線機能付き時計は、他の通信機器と同様に、所定の電波を受信するためのアンテナを備える必要がある。
このため、電波を受信する機能、すなわち、受信感度からすれば、電波を受信するアンテナを収容する筐体であるハウジングを、合成樹脂などの非導電性の素材から構成することが考えられる。
【０００５】
しかしながら、これらの無線機能付き時計は、時計であるがために、他の通信機器と異なり、装飾品、または装身具としての美観や高級感が求められる。
このため、電波を受信するアンテナを収容する筐体であるハウジングとして、合成樹脂などの非導電性の素材ではなく、導電性の素材、すなわち、金属性の素材を採用することが求められる場合がある。
【０００６】
これは、合成樹脂などのハウジングが、その質感、色調、または軽量さから、安価な外観と装着感とを使用者に与えるものであり、これに対して、金属性のハウジングが、高級感のある外観と装着感とを使用者に与えるためである。
【０００７】
この金属製のハウジングに対する要求は、ユーザーに携帯される装身具としての腕時計において、特に著しいものである。
しかしながら、導電性のハウジング、すなわち、金属性のハウジング内にアンテナを収容した場合には、外部からハウジング内への電波の入射が金属製のハウジングによって遮蔽されて、アンテナが標準電波を受信する機能が低下してしまう。
【０００８】
特に、文字板や見返しリング、装飾リングなどといった表示部材の素材として導電性のもの、例えば、金属を採用した場合には、金属性のハウジングと、アンテナの上方に配置された金属製の表示部材によって、アンテナの上方に金属筐体が形成され、時計の上方からハウジング内への電波の入射がこの金属筐体によって遮蔽されて、アンテナが標準電波を受信する機能が著しく低下してしまう。
【０００９】
このため、従来より、様々な受信感度向上のための提案がなされている。例えば、特許文献１（特開２００６−１８９３７９号公報）には、金属性の文字板を備えた電波時計が
開示されている。
【００１０】
図３３に示すように、この電波時計１００には、時計ケース１１１を含むハウジング内に金属性の文字板１２０が配置され、文字板１２０の下方には、非導電性の素材からなる回転体として日付表示板１４０が配置されている。
【００１１】
文字板１２０には円弧状の開口部１２０Ａが設けられており、この開口部１２０Ａから日付表示板１４０の日付が上方へ表示されるようになっている。そして、ハウジング内における文字板１２０のさらに下方には、開口部１２０Ａに対向する位置にアンテナ１２７が収容されている。
【００１２】
この電波時計１００によれば、アンテナ１２７の上方に開口部１２０Ａを設けたので、文字板１２０上方からの外部電波は開口部１２０Ａを透過してアンテナ１２７に到達する。そのため、アンテナ１２７による外部電波の受信が金属製の文字板１２０により大幅に阻害されることがなく、電波時計１００に金属性の文字板１２０が採用できるという利点がある。
【００１３】
一方、近年、ソーラーセル機器、特に、時計においては、ソーラーセル（太陽電池）からなるソーラー発電装置を備え、このソーラー発電装置が発電した電力によって駆動されるソーラー時計が市場を大きく占めるようになっている。
【００１４】
このようなソーラー時計用の表示板（文字板）では、受光した光を透過させて、その下面側に配設したソーラー発電装置に発電機能を起こさせるように構成されている。
従って、ソーラー時計用の表示板は、少なくともソーラー発電装置の発電に寄与する波長域の外部の光を透過して、ソーラー発電装置に起電力を付与するため、ある程度の光の透過性が要求され、透光性である必要がある。
【００１５】
このため、ソーラー時計用の表示板を構成する基板は、例えば、合成樹脂、紙、布などの軟質材料や、ガラスなどのセラミックに代表される脆性材料によって、透明または半透明の部品として製造されている。
【００１６】
しかしながら、従来技術における表示板は、金属表示板と同様の金属感や、色彩は得られず、高級感のある外観品質を有する表示板を得ることが困難であった。特に、従来技術における表示板は、金属独特の金属感が得られず、デザインバリエーションに乏しいという問題があった。
【００１７】
このため、特許文献２（実開昭５１−０７９３６４号公報）では、リング部材に時刻を表示する略字素子を一体的に所定位置に固定し、これを文字板本体の表面に固着することによって、立体的な意匠効果を有する表示板が提案されている。
【００１８】
また、特許文献３（実開平７−２９９０号公報）では、複数枚の透明な構成板を間隙を有するように、前後方向にスペーサを介して配置して、これらのそれぞれの構成板に、文字等の時刻表示を表示することによって、時刻表示を立体的に視覚することができるように構成した表示板が開示されている。
【００１９】
しかしながら、これらの特許文献２、特許文献３の表示板は、いずれもソーラーセル（太陽電池）からなるソーラー発電装置を備え、このソーラー発電装置が発電した電力によって駆動されるソーラー時計を目的としたものではなく、ソーラー発電装置に起電力を付与することができない構成のものである。
【００２０】
また、これらの特許文献２、特許文献３の表示板は、ある程度、立体感があるデザインとなっているが、金属感、色彩、高級感のある斬新なデザインの表示板を得るにはまだまだ十分でなかった。
【００２１】
このため、特許文献４（特開昭５２−１２３２７０号公報）、特許文献５（特開２００６−２７５５８１号公報）などにおいては、表示板に開口部を設けることによって、この開口部を介して、下方のソーラー発電装置に光が入射できるように構成した表示板が開示されている。
【００２２】
例えば、特許文献５では、開口部を有する模様を施した金属材料からなる上板と、この上板の開口部に対応する開口部を有する金属材料からなる下板と、光透過性を有するプラスチック板とを備え、これらの上板、下板及びプラスチック板を積層して構成することによって、この開口部を介して、外部の光を入射するようにして、ソーラー発電装置に起電力を付与するように構成されている。
【特許文献１】特開２００６−１８９３７９号公報
【特許文献２】実開昭５１−０７９３６４号公報
【特許文献３】実開平７−２９９０号公報
【特許文献４】特開昭５２−１２３２７０号公報
【特許文献５】特開２００６−２７５５８１号公報
【発明の開示】
【発明が解決しようとする課題】
【００２３】
しかしながら、特許文献１に記載の電波時計１００は、日付表示板１４０を備えるムーブメントが採用された腕時計にしか適用できず、汎用性に欠けるという問題点があった。
さらに、円弧状の開口部１２０Ａが外観上目立つため、装身具としての腕時計の美観や高級感が損なわれてしまうという問題点があった。
【００２４】
また、特許文献１に記載の電波時計１００では、金属性の文字板１２０とアンテナ１２７とが離間していないので、導電性材料から構成される金属性の文字板１２０にアンテナ１２７の磁束が流れてしまい、導電性材料からなる金属性の文字板１２０によって、磁束が干渉されて、磁束が乱れてしまい、アンテナの受信感度が低下することになる。
【００２５】
一方、特許文献５の表示板においては、開口部を介して、外部の光を入射するようにして、ソーラー発電装置に起電力を付与することができるが、これらの上板、下板及びプラスチック板を積層した構造である。
【００２６】
従って、図３４の矢印に示したように、外部からの光が、表示板２００の上板２０２の開口部２０４と、下板２０６の開口部２０８を介して、ソーラー発電装置２１０入射する採光面積は、これらの開口部２０４、２０８の大きさに限定されることになり、その結果、発電効率が限定されてしまうことになり、充電時間が長くかかってしまうことになる。
【００２７】
従って、発電効率を上昇しようとすると、これらの開口部２０４、２０８の面積が大きくなって、残りの金属部分が小さくなってしまい、金属感や高級感が損なわれてしまうことになる。
【００２８】
また、特許文献５の表示板においては、単に、上板、下板及びプラスチック板を積層した構造であるので、立体感に乏しく、金属感、色彩、高級感のある斬新なデザインの表示板を得るにはまだまだ十分でなかった。
【００２９】
本発明は、このような現状に鑑み、表示板やハウジングの素材として、金属等のような
導電性の素材を用いても、アンテナが所定の電波を良好な感度で受信でき、さらに、良好な美観、高級感を有し、外観に優れた無線機能付き機器類の表示板およびそれを用いた無線機能付き機器類を提供することを目的とする。
【００３０】
また、本発明は、上記無線機能付き機器類において、例えば、ソーラーセル（太陽電池）からなるソーラー発電装置を備えた無線機能付き機器類の上方に配置され、金属表示板と同様の金属感や、色彩が得られ、しかも、立体的で独特なデザインで、高級感のある外観品質を有し、デザインバリエーションの拡大を図れることが可能な表示板およびそれを用いた無線機能付き機器類を提供することを目的とする。
【００３１】
また、本発明は、開口部が同じ面積であっても、アンテナの受信感度が良好で、採光面積が広く、発電効率に優れ、充電時間が短く、しかも、開口部の面積をできるだけ狭くすることができ、金属部分を広くでき、高級感のある外観品質を有し、アンテナの配置位置の自由度が向上し、その結果、デザインバリエーションの拡大を図れることが可能な表示板およびそれを用いた無線機能付き機器類を提供することを目的とする。
【課題を解決するための手段】
【００３２】
本発明は、前述したような従来技術における課題及び目的を達成するために発明されたものであって、本発明の表示板は、
ハウジング内に外部からの電波を受信するためのアンテナを備えた無線機能付き機器類のアンテナの上方に配置される表示板であって、
前記アンテナの視認側に配置され、非導電性の下板部材と、
前記下板部材の視認側に、少なくとも一部が下板部材と離間するように配置された上板部材とを備え、
前記上板部材には、下板部材と離間した領域を含む少なくとも１つの開口部が形成されていることを特徴とする。
【００３３】
このように構成することによって、上板部材と下板部材とが、一定間隔離間するので、上板部材に形成された、下板部材と離間した領域を含む開口部を介して、下板部材の下方に位置するアンテナが、電波を受信することができる領域が広がることになる。
【００３４】
また、上板部材を、例えば、金属などの導電性材料から構成した場合にも、電波の受信が阻害されることがなく、上板部材に形成された開口部を介して、下板部材の下方に位置するアンテナが、電波を受信することができる。
【００３５】
さらに、上板部材と下板部材とが、一定間隔離間するので、下板部材の下方に位置するアンテナと上板部材との間も一定間隔離間していることになる。
その結果、導電性材料から構成される上板部材にアンテナの磁束が流れないので、導電性材料からなる上板部材によって干渉されず、磁束が乱れることがなく、アンテナの受信感度が低下することがない。
【００３６】
このように、上板部材と下板部材とが、一定間隔離間するので、上板部材に形成された、下板部材と離間した領域を含む開口部を介して、下板部材の下方に位置するアンテナが、電波を受信することができる領域が広がり、下板部材の下方に位置するアンテナと上板部材との間も一定間隔離間しているので、導電性材料から構成される上板部材による磁束の干渉が発生せず、アンテナの受信感度が低下することがないので、アンテナの配置位置を自由に選択でき、その結果、デザインのバリエーションが拡大する。
【００３７】
また、例えば、ソーラーセル（太陽電池）からなるソーラー発電装置を備えた無線機能付き機器類に用いた場合には、上板部材に形成された、下板部材と離間した領域を含む開
口部を介して、下板部材の下方に位置するソーラー発電装置に外部の光が入射することができる。
【００３８】
この際、上板部材が、下板部材と一定間隔離間するように配置されているので、上板部材に形成された開口部を介して、下板部材、すなわち、下板部材の下方に位置するソーラー発電装置に入射する光が、斜めに入射することができるので、ソーラー発電装置に入射する採光面積が、開口部の面積よりも大きくなる。
【００３９】
従って、開口部が同じ面積であっても、採光面積が広く、発電効率に優れ、充電時間が短くなる。しかも、開口部の面積をできるだけ狭くすることができるので、上板部材のその他の部分である、例えば、金属部分を広くでき、高級感のある外観品質を有し、デザインバリエーションの拡大を図ることが可能な表示板を提供することができる。
【００４０】
また、上板部材が、下板部材と一定間隔離間するように配置されているので、立体的で独特なデザインで、高級感のある外観品質を有し、デザインバリエーションの拡大を図れることが可能である。
【００４１】
この場合、下板部材としては、アンテナへの電波の受信感度を考慮すれば、非導電性材料であるのが望ましい。
この場合、非導電性材料としては、軟質材料、あるいは脆性材料より成る透光性基板から構成されているのが、上記無線機能付き機器類において、例えば、ソーラーセル（太陽電池）からなるソーラー発電装置を備えたソーラー時計、ソーラー発電装置を使った卓上計算機などのソーラーセル機器類に用いられ、ソーラー発電装置の上方に配置される表示板として用いる場合には、受光した光を透過させて、その下面側に配設したソーラー発電装置に発電機能を起こさせるためには望ましい。
【００４２】
また、表示板を構成する下板部材の厚さとしては、３０μｍ〜１０００μｍであるのが望ましく、厚さがこのような範囲にあれば、例えば、腕時計用の表示板として用いる場合に、時計を薄くするために、下板部材の厚さを薄くしても機械的強度が低下することなく、加工することができる。また、下板部材の厚さが厚すぎて、時計の針が揺動することなく、正確な時間を指示することができるとともに、時計自体の厚さをコンパクトにすることができる。
【００４３】
さらに、下板部材の厚さがこのような範囲にあれば、例えば、ソーラー時計用表示板などのソーラー機器類の表示板として用いた場合にも、光透過率が低下することなく、発電に寄与することができ、機器類の駆動力などを確保することができるとともに、表示板の下方に配置されたソーラーセルの境界線である十字線や、濃紫色を消し去り、ソーラーセルの色調が視認されないようにすることができる。
【００４４】
なお、下板部材は、上記の軟質材料、脆性材料を平面的、または多層に組み合わせて形成したものであっても良い。
さらに、下板部材を構成する軟質材料としては、特に限定されるものではないが、例えば、合成樹脂、紙、布などを用いることができる。また、下板部材を構成する脆性材料としては、特に限定されるものではないが、例えば、七宝、ガラスなどのセラミック、白蝶貝などの貝などを用いることができる。
【００４５】
また、下板部材の表面に、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、スピンコート、ディッピング、刷毛塗り、噴霧塗装、静電塗装、電着塗装等の塗装、電解メッキ、無電解メッキ等の湿式メッキ法で、非
常に薄い金属膜や塗装膜を形成しても良い。
【００４６】
なお、ここで「光透過性」とは、ソーラー発電装置へ外光を透過させることができる性質を意味し、透明であることに限定されない。この意味を充足できる限り、「光透過性」とは、単一の材料から成るとは限らない。例えば、下板部材が光透過性である限り、下板部材の一部に金属のような光不透過性の材料が含まれても良い。
【００４７】
また、上板部材に形成された開口部の形状、サイズ、個数、配置位置としては、特に限定されるものではなく、デザインなどに応じて、例えば、円形状、楕円形状、矩形状など様々な形状、サイズ、個数、配置位置を選択することができる。
【００４８】
また、本発明の表示板は、前記上板部材が、光不透過性材料、光透過性材料、またはこれらの組み合わせからなる材料から構成されていることを特徴とする。
すなわち、上板部材としては、光不透過性材料から構成することができ、例えば、強度を考慮すれば、硬質材料、あるいは延性材料、特に金属製とするのが望ましく、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００４９】
このような金属製であれば、金属感が得られ、高級感のある外観品質を有し、デザインバリエーションの拡大を図れることが可能である。
また、上板部材としては、光透過性材料から構成することができ、上記の下板部材と同様な軟質材料、脆性材料を採用することができ、これらの軟質材料、脆性材料を平面的、または多層に組み合わせて形成したものであっても良い。
【００５０】
さらに、上板部材としては、上記の光不透過性材料、光透過性材料を組み合わせて、例えば、平面的、または多層に組み合わせて形成したものであっても良い。
また、上板部材の表面に、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、スピンコート、ディッピング、刷毛塗り、噴霧塗装、静電塗装、電着塗装等の塗装、電解メッキ、無電解メッキ等の湿式メッキ法で、非常に薄い金属膜や塗装膜を形成しても良い。
【００５１】
さらに、上板部材の厚さとしては、３０μｍ〜１０００μｍであるのが望ましく、厚さがこのような範囲にあれば、例えば、腕時計用の表示板として用いる場合に、時計を薄くするために、上板部材の厚さを薄くしても機械的強度が低下することなく、加工することができる。また、上板部材の厚さが厚すぎて、時計の針が揺動することなく、正確な時間を指示することができるとともに、時計自体の厚さをコンパクトにすることができる。
【００５２】
また、上板部材の色調としては、特に限定されるものではなく、下板部材と同色色調のもの、異色色調のものを適宜選択することができる。
さらに、例えば、上板部材、下板部材に、ダイヤなどの宝石、貴石などの輝石、装飾石などからなる宝飾が設けられていても良く、さらに高級感、装飾性に優れた表示板を提供することができる。
【００５３】
また、上板部材は、透光性の素材に光を透しにくい、あるいは透さない膜を被覆したものであってもよい。
また、本発明の表示板は、前記上板部材が、導電性材料、非導電性材料、またはこれらの組み合わせからなる材料から構成されていることを特徴とする。
【００５４】
すなわち、上板部材に形成した開口部によってアンテナが電波を受信できるので、上記した金属などの導電性材料を用いることができ、また、下板部材と同様な非導電性材料から構成することもできる。さらには、これらの導電性材料、非導電性材料を、平面的または厚さ方向に積層して、組み合わせて用いることもできる。
【００５５】
また、本発明の表示板は、前記上板部材が、下板部材に対して平行に配置されていることを特徴とする。
このように構成することによって、上板部材が、下板部材に対して平行に配置されていれば、上板部材に形成された開口部を介して、下板部材、すなわち、下板部材の下方に位置するアンテナに入射する電波が、開口部に対して、一定の領域で斜めに入射することになり、アンテナに入射する電波の領域が、開口部の面積よりも一定の割合で大きくなり、電波を受信することができる領域が広がることになり、アンテナの受信感度が向上する。
【００５６】
また、例えば、ソーラーセル（太陽電池）からなるソーラー発電装置を備えた無線機能付き機器類に用いた場合にも、上板部材が、下板部材に対して平行に配置されていれば、上板部材に形成された開口部を介して、下板部材、すなわち、下板部材の下方に位置するソーラー発電装置に入射する光が、開口部に対して、一定の採光面積で斜めに入射することになり、ソーラー発電装置に入射する採光面積が、開口部の面積よりも一定の割合で大きくなり、一定の発電効率を得ることができる。
【００５７】
また、本発明の表示板は、前記上板部材が、下板部材に対して傾斜するように配置されていることを特徴とする。
このように上板部材が、下板部材に対して傾斜するように配置されているので、傾斜した上板部材に形成された開口部を介して、下板部材、すなわち、下板部材の下方に位置するアンテナに入射する電波の領域が、開口部の面積よりもさらに大きくなり、アンテナの受信感度がさらに向上する。
【００５８】
また、例えば、ソーラーセル（太陽電池）からなるソーラー発電装置を備えた無線機能付き機器類に用いた場合にも、上板部材が、下板部材に対して傾斜するように配置されているので、傾斜した上板部材に形成された開口部を介して、下板部材、すなわち、下板部材の下方に位置するソーラー発電装置に入射する採光面積が、開口部の面積よりもさらに大きくなり、発電効率がさらに向上する。
【００５９】
また、本発明の表示板は、前記上板部材が、下板部材に対して、視認側に膨出する部分を有することを特徴とする。
このように上板部材が、下板部材に対して、視認側に膨出する部分を有するので、傾斜した膨出部分に形成された開口部が傾斜した状態になっており、この開口部を介して、下板部材、すなわち、下板部材の下方に位置するアンテナに入射する電波の領域が、開口部の面積よりもさらに大きくなり、アンテナの受信感度がさらに向上する。
【００６０】
また、例えば、ソーラーセル（太陽電池）からなるソーラー発電装置を備えた無線機能付き機器類に用いた場合にも、上板部材が、下板部材に対して、視認側に膨出する部分を有するので、傾斜した膨出部分に形成された開口部が傾斜した状態になっており、この開口部を介して、下板部材、すなわち、下板部材の下方に位置するソーラー発電装置に入射する採光面積が、開口部の面積よりもさらに大きくなり、発電効率がさらに向上する。
【００６１】
しかも、このような上板部材の視認側に膨出する部分の傾斜した膨出部分に形成された開口部を介して、例えば、下板部材、下板部材に形成した指標部、針軸などの部分を外部から立体的に視認することができるので、立体的で、斬新で、かつ高級感に溢れる外観品質を有し、デザインバリエーションの拡大を図れる表示板を提供することが可能である。
【００６２】
なお、この場合、視認側に膨出する部分は、例えば、後述するように、中心部分に向かってより大きく膨出する、いわゆるドーム形状とすることもできるが、その形状、配置位置、数、膨出高さなどは特に限定されるものではなく、例えば、部分的に複数の部分を膨出することによって、さらに、立体的に斬新なデザインの表示板を提供することができる。
【００６３】
また、本発明の表示板は、前記膨出部分が、上板部材の外周部分から、中心部分に向かってドーム形状に膨出するように形成されていることを特徴とする。
このように、中心部分に向かってより大きく膨出する、いわゆるドーム形状とすることによって、傾斜した膨出部分に形成された開口部が傾斜した状態になっており、この開口部を介して、下板部材、すなわち、下板部材の下方に位置するアンテナに入射する電波の領域が、開口部の面積よりもさらに大きくなり、アンテナの受信感度がさらに向上する。
【００６４】
また、例えば、ソーラーセル（太陽電池）からなるソーラー発電装置を備えた無線機能付き機器類に用いた場合にも、中心部分に向かってより大きく膨出する、いわゆるドーム形状とすることによって、傾斜した膨出部分に形成された開口部が傾斜した状態になっており、この開口部を介して、下板部材、すなわち、下板部材の下方に位置するソーラー発電装置に入射する採光面積が、開口部の面積よりもさらに大きくなり、発電効率がさらに向上する。
【００６５】
しかも、このような上板部材の視認側に膨出する部分の傾斜した膨出部分に形成された開口部を介して、例えば、中心部分に位置する下板部材、下板部材に形成した指標部、針軸などの部分までを外部から立体的に視認することができるので、斬新な立体的で高級感に溢れる外観品質を有し、デザインバリエーションの拡大を図れる表示板を提供することが可能である。
【００６６】
また、本発明の表示板は、前記上板部材の視認側に、第１の指標部が配置されるように構成されていることを特徴とする。
すなわち、上板部材の視認側に、第１の指標部として、例えば、時針、分針、日付針、クロノグラフ秒針などを配置することができ、上板部材に遮られることなく、これらの第１の指標部が示す指標情報を視認することができる。
【００６７】
なお、この場合、第１の指標部としては、特に限定されるものではなく、上記以外にも、例えば、充電量表示針、クロノグラフ時針、クロノグラフ分針、秒針、月齢表示部などとすることもできる。
【００６８】
また、本発明の表示板は、前記下板部材の視認側に、第２の指標部が配置されるように構成されていることを特徴とする。
すなわち、下板部材の視認側に、第２の指標部として、例えば、充電量表示針、クロノグラフ時針、クロノグラフ分針、秒針、月齢表示部などを配置することができ、上板部材に形成された開口部を介して、これらの第２の指標部が示す指標情報を視認することができる。
【００６９】
なお、この場合、第２の指標部としては、特に限定されるものではなく、上記以外にも、例えば、時針、分針、日付針などとすることもできる。
また、本発明の表示板は、前記上板部材の開口部が、下板部材に形成された第２の指標部に対応するように形成されていることを特徴とする。
【００７０】
このように上板部材の開口部が、下板部材に形成された第２の指標部に対応するように
、例えば、開口部の形状、サイズ、個数、配置位置に応じて、上板部材の開口部として、例えば、円形状、楕円形状、矩形状など様々な形状、サイズ、個数、配置位置を選択することができる。
【００７１】
このように構成することによって、第２の指標部に対応するように形成された上板部材の開口部を介して、下板部材に形成された第２の指標部が示す指標情報を確実に視認することができる。
【００７２】
また、本発明の表示板は、前記上板部材と下板部材とが、接合層を介して、固定されていることを特徴とする。
このように、上板部材と下板部材とが、接合層を介して、固定されていれば、上板部材と下板部材とがずれることがなく、上板部材と下板部材とを一定間隔離間して固定できる。
【００７３】
このため、上板部材に形成された開口部を介して、下板部材、すなわち、下板部材の下方に位置するアンテナに入射する電波が、開口部に対して、一定の面積で斜めに入射することになり、アンテナに入射する電波の領域が、開口部の面積よりも一定の割合で大きくなり、一定のアンテナの受信感度を得ることができる。
【００７４】
また、例えば、ソーラーセル（太陽電池）からなるソーラー発電装置を備えた無線機能付き機器類に用いた場合にも、上板部材に形成された開口部を介して、下板部材、すなわち、下板部材の下方に位置するソーラー発電装置に入射する光が、開口部に対して、一定の採光面積で斜めに入射することになり、ソーラー発電装置に入射する採光面積が、開口部の面積よりも一定の割合で大きくなり、一定の発電効率を得ることができる。
【００７５】
また、上板部材と下板部材とが、接合層を介して、固定するので、械的強度が低下することなく固定することができ、また、この固定により、時計の針が揺動することなく、正確な時間を指示することができる。
【００７６】
また、本発明の表示板は、前記接合層が、接着剤、粘着剤、接合テープから選択した少なくとも一つの接合層から構成されていることを特徴とする。
このように前記上板部材と下板部材とが、接着剤、粘着剤、接合テープから選択した少なくとも一つの接合層を介して、固定されているので、上板部材と下板部材とを一体的に強固に固定でき、全体として表示板を構成することができる。
【００７７】
また、本発明の表示板は、前記上板部材が、下板部材に立設した支柱部材によって、下板部材と一定間隔離間するように配置されていることを特徴とする。
このように構成することによって、下板部材に立設した支柱部材によって、上板部材が、下板部材と一定間隔離間するので、上板部材に形成された開口部を介して、下板部材、すなわち、下板部材の下方に位置するアンテナに入射する電波が、開口部に対して、一定の領域で斜めに入射することになり、アンテナに入射する電波の領域が、開口部の面積よりも一定の割合で大きくなり、一定のアンテナの受信感度を得ることができる。
【００７８】
また、例えば、ソーラーセル（太陽電池）からなるソーラー発電装置を備えた無線機能付き機器類に用いた場合にも、下板部材に立設した支柱部材によって、上板部材が、下板部材と一定間隔離間するので、上板部材に形成された開口部を介して、下板部材、すなわち、下板部材の下方に位置するソーラー発電装置に入射する光が、開口部に対して、一定の採光面積で斜めに入射することになり、ソーラー発電装置に入射する採光面積が、開口部の面積よりも一定の割合で大きくなり、一定の発電効率を得ることができる。
【００７９】
なお、この場合、支柱部材の形状、サイズ、個数、配置位置としては、特に限定されるものではなく、デザインなどに応じて、例えば、円柱形状、楕円柱形状、矩形柱状など様々な形状、サイズ、個数、配置位置を選択することができる。
【００８０】
また、本発明の表示板は、
前記支柱部材の少なくとも一方の端部に、フランジ部分が形成され、
前記上板部材と下板部材の少なくとも一方にフランジ収容凹部が形成され、
前記フランジ部分を、フランジ収容凹部に嵌合することによって、上板部材が、下板部材と一定間隔離間するように配置されていることを特徴とする。
【００８１】
このように構成することによって、支柱部材の少なくとも一方の端部に形成されたフランジ部分を、上板部材と下板部材の少なくとも一方に形成されたフランジ収容凹部に嵌合するだけで、上板部材と下板部材とがずれることがなく、上板部材と下板部材とを一定間隔離間して強固に固定できる。
【００８２】
このため、上板部材に形成された開口部を介して、下板部材、すなわち、下板部材の下方に位置するアンテナに入射する電波が、開口部に対して、一定の採光面積で斜めに入射することになり、アンテナに入射する電波の領域が、開口部の面積よりも一定の割合で大きくなり、一定のアンテナの受信感度を得ることができる。
【００８３】
また、例えば、ソーラーセル（太陽電池）からなるソーラー発電装置を備えた無線機能付き機器類に用いた場合にも、上板部材に形成された開口部を介して、下板部材、すなわち、下板部材の下方に位置するソーラー発電装置に入射する光が、開口部に対して、一定の領域で斜めに入射することになり、ソーラー発電装置に入射する採光面積が、開口部の面積よりも一定の割合で大きくなり、一定の発電効率を得ることができる。
【００８４】
また、上板部材と下板部材とが、フランジ部分を、フランジ収容凹部に嵌合することによって、固定するように構成したので、械的強度が低下することなく、強固に固定でき、しかも、加工が容易で、さらに、この強固な固定によって、時計の針が揺動することなく、正確な時間を指示することができる。
【００８５】
この場合、フランジ部分、フランジ収容凹部の形状、厚さ、深さなどは、特に限定されるものではなく、例えば、円形状、三角形状、四角形状、星型など様々な形状のフランジ部分、フランジ収容凹部を選択することができる。
【００８６】
また、本発明の表示板は、前記上板部材が、圧入、カシメ、リベット留め、ロー付け、溶接から選択した少なくとも一つの手段によって支柱部材により、下板部材に固定されていることを特徴とする。
【００８７】
このように上板部材が、圧入、カシメ、リベット留め、ロー付け、溶接から選択した少なくとも一つの手段によって、下板部材に固定されているので、支柱部材を介して、上板部材を、簡単にしかも強固に下板部材に固定することができる。
【００８８】
また、本発明の表示板は、前記上板部材の視認側に、表示リング部材が配置されていることを特徴とする。
このように、上板部材の視認側に、表示リング部材を配置することによって、より立体的なデザインとなり、装飾性に優れ、立体的で、斬新で、かつ高級感に溢れる外観品質を有し、デザインバリエーションの拡大を図れる表示板を提供することが可能である。
【００８９】
また、表示リング部材に、例えば、時針、分針、日付針、クロノグラフ秒針、充電量表
示針、クロノグラフ時針、クロノグラフ分針、秒針、月齢表示部、ロゴマークなど示す指標情報を表示する表示部分を設けることによって、これらの指標情報を確実に視認することができる。
【００９０】
また、本発明の表示板は、前記表示リング部材が、下板部材に立設した支柱部材によって、下板部材と一定間隔離間するように配置されていることを特徴とする。
このように構成することによって、下板部材に立設した支柱部材によって、表示リング部材が、下板部材と一定間隔離間するように確実に配置することができる。
【００９１】
この場合、支柱部材としては、前述したような上板部材を下板部材と一定間隔離間するように固定する支柱部材を用いてもよく、また、別の支柱部材を用いてもよい。
また、本発明の表示板は、前記上板部材には、支柱部材用開口部が形成され、支柱部材用開口部に支柱部材を挿通することによって、表示リング部材が、上板部材と一定間隔離間するように配置されていることを特徴とする。
【００９２】
このように構成することによって、上板部材に形成された支柱部材用開口部に支柱部材を挿通することによって、表示リング部材を、上板部材と一定間隔離間するように確実に配置することができる。
【００９３】
また、本発明の表示板は、
前記支柱部材の少なくとも一方の端部に、フランジ部分が形成され、
前記表示リング部材と下板部材の少なくとも一方にフランジ収容凹部が形成され、
前記フランジ部分を、フランジ収容凹部に嵌合することによって、表示リング部材が、下板部材と一定間隔離間するように配置されていることを特徴とする。
【００９４】
このように構成することによって、支柱部材の少なくとも一方の端部に形成されたフランジ部分を、表示リング部材と下板部材の少なくとも一方に形成されたフランジ収容凹部に嵌合するだけで、表示リング部材と下板部材とがずれることがなく、表示リング部材と下板部材とを一定間隔離間して強固に固定できる。
【００９５】
また、表示リング部材と下板部材とが、フランジ部分を、フランジ収容凹部に嵌合することによって、固定するように構成したので、機械的強度が低下することなく、強固に固定でき、しかも、加工が容易である。
【００９６】
この場合、フランジ部分、フランジ収容凹部の形状、厚さ、深さなどは、特に限定されるものではなく、例えば、円形状、三角形状、四角形状、星型など様々な形状のフランジ部分、フランジ収容凹部を選択することができる。
【００９７】
また、本発明の表示板は、前記表示リング部材が、圧入、カシメ、リベット留め、ロー付け、溶接から選択した少なくとも一つの手段によって支柱部材により、下板部材に固定されていることを特徴とする。
【００９８】
このように表示リング部材が、圧入、カシメ、リベット留め、ロー付け、溶接から選択した少なくとも一つの手段によって、下板部材に固定されているので、支柱部材を介して、表示リング部材を、簡単にしかも強固に下板部材に固定することができる。
【００９９】
また、本発明の無線機能付き機器類は、前述のいずれかに記載の表示板を備えたことを特徴とする。
また、本発明の無線機能付き機器類は、前記アンテナが、断面視において、下板部材の下面延長線とハウジング内部下端線とから等距離の位置にある中間仮想線よりも上側に位
置することを特徴とする。
【０１００】
このような位置にアンテナがあれば、アンテナを下板部材の下側に配置されるので、アンテナが使用者から視認されなくなるため、良好な美観や高級感を有し、時計全体としても美観を向上させることができる。
【０１０１】
なお、この場合には、アンテナを中間仮想線よりも上側、すなわち、ハウジング内の下板部材に近い位置に配置することが好ましい。特に、ハウジング、上板部材として、金属のような導電性材料を用いる場合には、ハウジングの上方側に位置する風防（ガラス）、上板部材の開口部からのみ電波は侵入するため、ハウジング内の表示板に近い位置にアンテナを配置することによって、アンテナの受信感度を向上させることができる。
【０１０２】
また、本発明の無線機能付き機器類は、前記アンテナが、上板部材の開口部の近傍に対応して配置されていることを特徴とする。
このように、アンテナが、上板部材の開口部の近傍に対応して配置されていても、上板部材と下板部材とが、一定間隔離間するので、上板部材に形成された開口部を介して、下板部材の下方に位置するアンテナが、電波を受信することができる領域が広がり、上板部材の開口部の近傍に対応して配置されたアンテナに電波が入射できる。
【０１０３】
しかも、下板部材の下方に位置するアンテナと上板部材との間も一定間隔離間しているので、導電性材料から構成される上板部材による磁束の干渉が発生せず、アンテナの受信感度が低下することがなく、さらに、アンテナを、上板部材の開口部の近傍に対応して配置できるので、アンテナの配置位置を自由に選択でき、その結果、デザインのバリエーションが拡大する。
【０１０４】
また、本発明の無線機能付き機器類は、前記アンテナが、上板部材の開口部に対応して配置されていることを特徴とする。
このように、アンテナが、上板部材の開口部に対応して配置され、上板部材と下板部材とが、一定間隔離間するので、上板部材に形成された開口部を介して、下板部材の下方に位置するアンテナが、電波を受信することができる領域が広がり、上板部材の開口部に対応して配置されたアンテナに電波がさらに効率的に入射できる。
【０１０５】
しかも、下板部材の下方に位置するアンテナと上板部材との間も一定間隔離間しているので、導電性材料から構成される上板部材による磁束の干渉が発生せず、アンテナの受信感度が低下することがなく、さらに、アンテナを、上板部材の開口部に対応して配置することができるので、アンテナの配置位置を自由に選択でき、その結果、デザインのバリエーションが拡大する。
【０１０６】
また、本発明の無線機能付き機器類は、前記アンテナの少なくとも一方の開放端部が、上板部材の開口部の近傍に対応して配置されていることを特徴とする。
このように、アンテナの少なくとも一方の開放端部が、上板部材の開口部の近傍に対応して配置され、上板部材と下板部材とが、一定間隔離間するので、上板部材に形成された開口部を介して、上板部材の開口部の近傍に対応して配置されたアンテナの少なくとも一方の開放端部を介して、電波を受信することができ、アンテナに電波がさらに効率的に入射できる。
【０１０７】
しかも、下板部材の下方に位置するアンテナと上板部材との間も一定間隔離間しているので、導電性材料から構成される上板部材による磁束の干渉が発生せず、アンテナの受信感度が低下することがなく、さらに、アンテナの少なくとも一方の開放端部を、上板部材の開口部の近傍に対応して配置することができるので、アンテナの配置位置を自由に選択
でき、その結果、デザインのバリエーションが拡大する。
【０１０８】
また、本発明の無線機能付き機器類は、前記アンテナの少なくとも一方の開放端部が、上板部材の開口部に対応して配置されていることを特徴とする。
このように、アンテナの少なくとも一方の開放端部が、上板部材の開口部に対応して配置され、上板部材と下板部材とが、一定間隔離間するので、上板部材に形成された開口部を介して、上板部材の開口部に対応して配置されたアンテナの少なくとも一方の開放端部を介して、電波を受信することができ、アンテナに電波がさらに効率的に入射できる。
【０１０９】
しかも、下板部材の下方に位置するアンテナと上板部材との間も一定間隔離間しているので、導電性材料から構成される上板部材による磁束の干渉が発生せず、アンテナの受信感度が低下することがなく、さらに、アンテナの少なくとも一方の開放端部を、上板部材の開口部に対応して配置することができるので、アンテナの配置位置を自由に選択でき、その結果、デザインのバリエーションが拡大する。
【０１１０】
また、本発明の無線機能付き機器類は、前記アンテナの開放端部が、上板部材の異なる開口部に対応して配置されていることを特徴とする。
このように、アンテナのアンテナの開放端部が、上板部材の異なる開口部に対応して配置され、上板部材と下板部材とが、一定間隔離間するので、上板部材に形成された開口部を介して、上板部材の異なる開口部に対応してそれぞれ配置されたアンテナの開放端部を介して、電波を受信することができ、アンテナに電波がさらに効率的に入射できる。
【０１１１】
しかも、下板部材の下方に位置するアンテナと上板部材との間も一定間隔離間しているので、導電性材料から構成される上板部材による磁束の干渉が発生せず、アンテナの受信感度が低下することがなく、さらに、アンテナのアンテナの開放端部を、上板部材の異なる開口部に対応して配置することができるので、アンテナの配置位置を自由に選択でき、その結果、デザインのバリエーションが拡大する。
【０１１２】
また、本発明の無線機能付き機器類は、前記アンテナが、下板部材に対して平行な形状であることを特徴とする。
このように構成することによって、アンテナの収容容積が大きくなることがなく、アンテナの装着作業も容易である、厚さが薄くコンパクトなソーラーセル機器類を提供することができる。
【０１１３】
また、本発明の無線機能付き機器類は、前記アンテナが、下板部材に対して下方に屈曲する形状であることを特徴とする。
このように構成することによって、導電性材料から構成される上板部材と、アンテナの距離が離れていることになるので、導電性材料から構成される上板部材による磁束の干渉が発生せず、アンテナの受信感度が低下することがなく、さらに、アンテナの配置位置を自由に選択でき、その結果、デザインのバリエーションが拡大する。
【０１１４】
また、本発明の無線機能付き機器類は、前記アンテナの少なくとも一方の開放端部が、無線機能付き機器類の中心部分に向くように平面的に屈曲した形状であることを特徴とする。
【０１１５】
このようにアンテナの少なくとも一方の開放端部が、無線機能付き機器類の中心部分に向くように平面的に屈曲した形状であっても、上板部材と下板部材とが、一定間隔離間するので、上板部材に形成された開口部を介して、下板部材の下方に位置するアンテナが、電波を受信することができる領域が広がり、アンテナの少なくとも一方の開放端部が、無線機能付き機器類の中心部分に向くように平面的に屈曲した形状のアンテナにも、電波が
入射できる。
【０１１６】
しかも、下板部材の下方に位置するアンテナと上板部材との間も一定間隔離間しているので、導電性材料から構成される上板部材による磁束の干渉が発生せず、アンテナの受信感度が低下することがなく、さらに、アンテナを、上板部材の開口部の近傍に対応して配置することができるので、アンテナの配置位置を自由に選択でき、その結果、デザインのバリエーションが拡大する。
【０１１７】
また、本発明の無線機能付き機器類は、前記無線機能付き機器類が、無線機能付き時計であることを特徴とする。
また、本発明の無線機能付き機器類は、ソーラー発電装置を備えることを特徴とする。
【発明の効果】
【０１１８】
本発明によれば、上板部材と下板部材とが、一定間隔離間するので、上板部材に形成された開口部を介して、下板部材の下方に位置するアンテナが、電波を受信することができる領域が広がることになる。
【０１１９】
また、上板部材を、例えば、金属などの導電性材料から構成した場合にも、電波の受信が阻害されることがなく、上板部材に形成された開口部を介して、下板部材の下方に位置するアンテナが、電波を受信することができる。
【０１２０】
さらに、上板部材と下板部材とが、一定間隔離間するので、下板部材の下方に位置するアンテナと上板部材との間も一定間隔離間していることになる。
その結果、導電性材料から構成される上板部材にアンテナの磁束が流れないので、導電性材料からなる上板部材によって干渉されず、磁束が乱れることがなく、アンテナの受信感度が低下することがない。
【０１２１】
このように、上板部材と下板部材とが、一定間隔離間するので、上板部材に形成された開口部を介して、下板部材の下方に位置するアンテナが、電波を受信することができる領域が広がり、下板部材の下方に位置するアンテナと上板部材との間も一定間隔離間しているので、導電性材料から構成される上板部材による磁束の干渉が発生せず、アンテナの受信感度が低下することがないので、アンテナの配置位置を自由に選択でき、その結果、デザインのバリエーションが拡大する。
【０１２２】
また、例えば、ソーラーセル（太陽電池）からなるソーラー発電装置を備えた無線機能付き機器類に用いた場合には、上板部材に形成された開口部を介して、下板部材の下方に位置するソーラー発電装置に外部の光が入射することができる。
【０１２３】
この際、上板部材が、下板部材と一定間隔離間するように配置されているので、上板部材に形成された開口部を介して、下板部材、すなわち、下板部材の下方に位置するソーラー発電装置に入射する光が、斜めに入射することができるので、ソーラー発電装置に入射する採光面積が、開口部の面積よりも大きくなる。
【０１２４】
従って、開口部が同じ面積であっても、採光面積が広く、発電効率に優れ、充電時間が短くなる。しかも、開口部の面積をできるだけ狭くすることができるので、上板部材のその他の部分である、例えば、金属部分を広くでき、高級感のある外観品質を有し、デザインバリエーションの拡大を図ることが可能な表示板を提供することができる。
【０１２５】
また、上板部材が、下板部材と一定間隔離間するように配置されているので、立体的で独特なデザインで、高級感のある外観品質を有し、デザインバリエーションの拡大を図れ
ることが可能である。
【０１２６】
また、本発明によれば、上板部材が、下板部材に対して、例えば、中心部分に向かってより大きく膨出する、いわゆるドーム形状のような、視認側に膨出する部分を有するので、傾斜した膨出部分に形成された開口部が傾斜した状態になっており、この開口部を介して、下板部材、すなわち、下板部材の下方に位置するアンテナに入射する電波の領域が、開口部の面積よりもさらに大きくなり、アンテナの受信感度がさらに向上する。
【０１２７】
また、例えば、ソーラーセル（太陽電池）からなるソーラー発電装置を備えた無線機能付き機器類に用いた場合にも、中心部分に向かってより大きく膨出する、いわゆるドーム形状とすることによって、傾斜した膨出部分に形成された開口部が傾斜した状態になっており、この開口部を介して、下板部材、すなわち、下板部材の下方に位置するソーラー発電装置に入射する採光面積が、開口部の面積よりもさらに大きくなり、発電効率がさらに向上する。
【０１２８】
しかも、このような上板部材の視認側に膨出する部分の傾斜した膨出部分に形成された開口部を介して、例えば、下板部材、下板部材に形成した指標部、針軸などの部分を外部から立体的に視認することができるので、立体的で、斬新で、かつ高級感に溢れる外観品質を有し、デザインバリエーションの拡大を図れる表示板を提供することが可能である。
【０１２９】
また、本発明によれば、支柱部材の少なくとも一方の端部に形成されたフランジ部分を、上板部材と下板部材の少なくとも一方に形成されたフランジ収容凹部に嵌合するだけで、上板部材と下板部材とがずれることがなく、上板部材と下板部材とを一定間隔離間して強固に固定できる。
【０１３０】
このため、上板部材に形成された開口部を介して、下板部材、すなわち、下板部材の下方に位置するアンテナに入射する電波が、開口部に対して、一定の採光面積で斜めに入射することになり、アンテナに入射する電波の領域が、開口部の面積よりも一定の割合で大きくなり、一定のアンテナの受信感度を得ることができる。
【０１３１】
また、例えば、ソーラーセル（太陽電池）からなるソーラー発電装置を備えた無線機能付き機器類に用いた場合にも、上板部材に形成された開口部を介して、下板部材、すなわち、下板部材の下方に位置するソーラー発電装置に入射する光が、開口部に対して、一定の採光面積で斜めに入射することになり、ソーラー発電装置に入射する採光面積が、開口部の面積よりも一定の割合で大きくなり、一定の発電効率を得ることができる。
【０１３２】
また、上板部材と下板部材とが、フランジ部分を、フランジ収容凹部に嵌合することによって、固定するように構成したので、械的強度が低下することなく、強固に固定でき、しかも、加工が容易で、さらに、この強固な固定によって、時計の針が揺動することなく、正確な時間を指示することができる。
【発明を実施するための最良の形態】
【０１３３】
以下、本発明の実施の形態（実施例）を図面に基づいてより詳細に説明する。
（実施例１）
図１は、本発明の表示板を、ソーラーセル（太陽電池）からなるソーラー発電装置を備え、ハウジング内に外部からの電波を受信するためのアンテナを備えた無線機能付きソーラー腕時計に組み込んだ状態を説明する無線機能付きソーラー腕時計の正面図、図２は、図１の無線機能付きソーラー腕時計の断面図、図３は、図１の無線機能付きソーラー腕時計の表示板部分の正面図、図４は、図１の無線機能付きソーラー腕時計の表示板部分の斜視図、図５は、図１の無線機能付きソーラー腕時計の表示板部分の側面図、図６は、図１
の無線機能付きソーラー腕時計の表示板部分の部分拡大断面図である。
【０１３４】
図１〜図２において、符号１０は、全体で本発明の表示板を組み込んだ無線機能付きソーラー腕時計を示している。
なお、本発明で言う「無線機能付きソーラー腕時計」とは、ソーラーセル（太陽電池）からなるソーラー発電装置を備え、このソーラー発電装置が発電した電力によって駆動されるとともに、ハウジング内に外部からの電波を受信するためのアンテナを備え、時刻情報を含む長波標準電波（搬送波）を受信し、その時刻情報に基づいて時刻を修正する無線機能を備えた時計である。
【０１３５】
図１〜図２に示したように無線機能付きソーラー腕時計１０は、ハウジング１２を備えている。
このハウジング１２は、例えば、金属製の導電性部材からなる略円筒形状の枠体を構成する時計ケース１４と、時計ケース１４の内部に配置された中枠部材１５と、時計ケース１４の下面開口部を覆うように密封状態で装着される金属製の導電性部材からなる裏蓋１６と、この時計ケースの上面開口部を覆うように、密封状態で装着される風防（ガラス）１８とを備えている。
【０１３６】
なお、ハウジング１２は、このように裏蓋１６を有する場合の他、裏蓋１６と時計ケース１４とが一体になった時計ケース１４である場合、裏蓋１６もガラスである場合など、様々な場合を含むものである。
【０１３７】
このハウジング１２内には、時計駆動部を構成するムーブメント２０と、このムーブメント２０の上面に配置され、ムーブメント２０を光の起電力によって駆動するためのソーラーセルを備えたソーラー発電装置２２を備えている。
【０１３８】
さらに、このムーブメント２０の側部下方の小径部２０ａには、標準電波を受信するためのアンテナ２６が付設されている。
なお、この実施例では、アンテナ２６は、コアとなる棒状の磁芯部材と、この磁芯部材の外周に巻かれたコイルとより成るバーアンテナとして図示しているが、その他の構成のアンテナ部材から構成することも勿論可能である。
【０１３９】
また、このソーラー発電装置２２の上面には、ソーラーセルの発電に寄与する波長の外光を、少なくともムーブメント２０の駆動に足るだけ透過させる透光機能を有する表示板２４を備えている。
【０１４０】
さらに、図１に示したように、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０を備えている。
【０１４１】
そして、これらの脚部３０のそれぞれの間に、腕時計のバンド１１が、それぞれ連結されている。
この表示板２４は、図１〜図６に示したように、ソーラー発電装置２２の視認側に配置され、外部からの光を透過可能な光透過性の材料から構成される略平板形状の下板部材３２を備えている。
【０１４２】
また、下板部材３２の視認側には、下板部材３２と一定間隔離間するように、配置された略平板形状の上板部材３４を備えている。そして、図４、図６に示したように、上板部材３４には、少なくとも１つの開口部３６が形成されている。
【０１４３】
このように構成することによって、図６の矢印Ａで示したように、外部のいろいろな角度から入射する光が、上板部材３４に形成された開口部３６を介して、下板部材３２の下方に位置するソーラー発電装置２２に外部の光が入射することができる。
【０１４４】
この際、図６に示したように、上板部材３４が、下板部材３２と一定間隔離間（間隙Ｓ１）するように配置されているので、上板部材３４に形成された開口部３６を介して、下板部材３２、すなわち、下板部材３２の下方に位置するソーラー発電装置２２に入射する光が、斜めに入射することができるので、ソーラー発電装置２２に入射する採光面積（Ｌ１）が、開口部３６の面積（Ｌ２）よりも大きくなる。
【０１４５】
従って、開口部３６が同じ面積であっても、採光面積が広く、発電効率に優れ、充電時間が短くなる。しかも、開口部３６の面積をできるだけ狭くすることができるので、上板部材３４のその他の部分である、例えば、金属部分を広くでき、高級感のある外観品質を有し、デザインバリエーションの拡大を図ることが可能な表示板を提供することができる。
【０１４６】
また、上板部材３４が、下板部材３２と一定間隔離間するように配置されているので、立体的で独特なデザインで、高級感のある外観品質を有し、デザインバリエーションの拡大を図れることが可能である。
【０１４７】
この場合、上板部材３４と下板部材３２との間の距離（間隙Ｓ１）としては、特に限定されるものではなく、無線機能付きソーラー腕時計１０のハウジング１２の厚さ、デザインなどに応じて、適宜変更することが可能である。
【０１４８】
そして、この実施例では、図３に示したように、アンテナ２６が、上板部材３４の開口部３６の近傍に対応して配置されている。
このように、アンテナが、上板部材３４の開口部３６の近傍に対応して配置されていても、図６の矢印Ｂで示したように、上板部材３４と下板部材３２とが、一定間隔離間するので（間隙Ｓ１）、上板部材３４に形成された開口部３６を介して、下板部材３２の下方に位置するアンテナ２６が、電波を受信することができる領域が広がり、上板部材３４の開口部３６の近傍に対応して配置されたアンテナ２６に電波が入射できる。
【０１４９】
しかも、下板部材３２の下方に位置するアンテナ２６と上板部材３４との間も一定間隔離間しているので、後述する図２１、図２４、図２７、図２８、図３０に示したように、導電性材料から構成される上板部材３４による磁束の干渉が発生せず、アンテナ２６の受信感度が低下することがなく、さらに、アンテナ２６を、上板部材３４の開口部３６の近傍に対応して配置できるので、アンテナ２６の配置位置を自由に選択でき、その結果、デザインのバリエーションが拡大する。
【０１５０】
また、図２に示したように、アンテナ２６が、図２の断面視において、下板部材３２の下面延長線Ｍ１とハウジング１２の内部下端線M３（すなわち、この実施例では、裏蓋１
６の上面１６ａ）とから等距離の位置にある中間仮想線Ｍ２よりも上側に位置するのが望ましい。
【０１５１】
このような位置にアンテナ２６があれば、アンテナ２６が下板部材３２の下側に配置されるので、アンテナ２６が使用者から視認されなくなるため、良好な美観や高級感を有し、時計全体としても美観を向上させることができる。
【０１５２】
なお、この場合には、アンテナ２６を中間仮想線Ｍ２よりも上側、すなわち、ハウジン
グ１２内の下板部材３２に近い位置に配置することが好ましい。特に、ハウジング１２、上板部材３４として、金属のような導電性材料を用いる場合には、ハウジング１２の上方側に位置する風防（ガラス）１８、上板部材３４の開口部３６からのみ電波は侵入するため、ハウジング１２内の表示板に近い位置にアンテナ２６を配置することによって、アンテナ２６の受信感度を向上させることができる。
【０１５３】
なお、この場合、下板部材３２としては、アンテナへの電波の受信感度を考慮すれば、非導電性材料であるのが望ましい。
この場合、非導電性材料としては、軟質材料、あるいは脆性材料より成る透光性基板から構成されているのが、例えば、ソーラーセル（太陽電池）からなるソーラー発電装置を備えたソーラー時計、ソーラー発電装置を使った卓上計算機などのソーラーセル機器類に用いられ、ソーラー発電装置の上方に配置される表示板として用いる場合には、受光した光を透過させて、その下面側に配設したソーラー発電装置に発電機能を起こさせるためには望ましい。
【０１５４】
また、表示板を構成する下板部材３２の厚さとしては、３０μｍ〜１０００μｍであるのが望ましく、厚さがこのような範囲にあれば、例えば、腕時計用の表示板として用いる場合に、時計を薄くするために、下板部材３２の厚さを薄くしても機械的強度が低下することなく、加工することができる。また、下板部材３２の厚さが厚すぎて、時計の針が揺動することなく、正確な時間を指示することができるとともに、時計自体の厚さをコンパクトにすることができる。
【０１５５】
さらに、下板部材３２の厚さがこのような範囲にあれば、例えば、ソーラー時計用表示板などのソーラー機器類の表示板として用いた場合にも、光透過率が低下することなく、発電に寄与することができ、機器類の駆動力などを確保することができるとともに、表示板の下方に配置されたソーラーセルの境界線である十字線や、濃紫色を消し去り、ソーラーセルの色調が視認されないようにすることができる。
【０１５６】
なお、下板部材３２は、上記の軟質材料、脆性材料を平面的、または多層に組み合わせて形成したものであっても良い。
さらに、下板部材３２を構成する軟質材料としては、特に限定されるものではないが、例えば、合成樹脂、紙、布などを用いることができる。また、下板部材３２を構成する脆性材料としては、特に限定されるものではないが、例えば、七宝、ガラスなどのセラミック、白蝶貝などの貝などを用いることができる。
【０１５７】
また、下板部材３２の表面に、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、スピンコート、ディッピング、刷毛塗り、噴霧塗装、静電塗装、電着塗装等の塗装、電解メッキ、無電解メッキ等の湿式メッキ法で、非常に薄い金属膜や塗装膜を形成しても良い。
【０１５８】
なお、ここで「光透過性」とは、ソーラー発電装置へ外光を透過させることができる性質を意味し、透明であることに限定されない。この意味を充足できる限り、「光透過性」とは、単一の材料から成るとは限らない。例えば、下板部材３２が光透過性である限り、下板部材３２の一部に金属のような光不透過性の材料が含まれても良い。
【０１５９】
また、上板部材３４に形成された開口部の形状、サイズ、個数、配置位置としては、特に限定されるものではなく、デザインなどに応じて、例えば、円形状、楕円形状、矩形状など様々な形状、サイズ、個数、配置位置を選択することができる。
【０１６０】
また、上板部材３４としては、光不透過性材料、光透過性材料、またはこれらの組み合わせからなる材料から構成することができる。
すなわち、上板部材３４としては、光不透過性材料から構成することができ、例えば、強度を考慮すれば、硬質材料、あるいは延性材料、特に金属製とするのが望ましく、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【０１６１】
このような金属製であれば、金属感が得られ、高級感のある外観品質を有し、デザインバリエーションの拡大を図れることが可能である。
また、上板部材３４としては、光透過性材料から構成することができ、上記の下板部材３２と同様な軟質材料、脆性材料を採用することができ、これらの軟質材料、脆性材料を平面的、または多層に組み合わせて形成したものであっても良い。
【０１６２】
さらに、上板部材３４としては、上記の光不透過性材料、光透過性材料を組み合わせて、例えば、平面的、または多層に組み合わせて形成したものであっても良い。
また、上板部材３４の表面に、例えば、熱ＣＶＤ、プラズマＣＶＤ、レーザーＣＶＤなどの化学蒸着法（ＣＶＤ）、真空蒸着、スパッタリング、またはイオンプレーティングなどのドライメッキ処理、溶射など、さらには、スピンコート、ディッピング、刷毛塗り、噴霧塗装、静電塗装、電着塗装等の塗装、電解メッキ、無電解メッキ等の湿式メッキ法で、非常に薄い金属膜や塗装膜を形成しても良い。
【０１６３】
さらに、上板部材３４の厚さとしては、３０μｍ〜１０００μｍであるのが望ましく、厚さがこのような範囲にあれば、例えば、腕時計用の表示板として用いる場合に、時計を薄くするために、上板部材３４の厚さを薄くしても機械的強度が低下することなく、加工することができる。また、上板部材３４の厚さが厚すぎて、時計の針が揺動することなく、正確な時間を指示することができるとともに、時計自体の厚さをコンパクトにすることができる。
【０１６４】
また、上板部材３４の色調としては、特に限定されるものではなく、下板部材３２と同色色調のもの、異色色調のものを適宜選択することができる。
さらに、例えば、上板部材３４、下板部材３２に、ダイヤなどの宝石、貴石などの輝石、装飾石などからなる宝飾が設けられていても良く、さらに高級感、装飾性に優れた表示板を提供することができる。
【０１６５】
また、上板部材３４は、透光性の素材に光を透しにくい、あるいは透さない膜を被覆したものであってもよい。
また、この実施例の表示板２４では、上板部材３４が、下板部材３２に対して平行に配置されている。
【０１６６】
このように構成することによって、上板部材３４が、下板部材３２に対して平行に配置されていれば、図６に示したように、上板部材３４に形成された開口部３６を介して、下板部材３２、すなわち、下板部材３２の下方に位置するアンテナ２６に入射する電波が、開口部３６に対して、一定の領域で斜めに入射することになり、アンテナ２６に入射する電波の領域が、開口部３６の面積よりも一定の割合で大きくなり、電波を受信することができる領域が広がることになり、アンテナ２６の受信感度が向上する。
【０１６７】
また、例えば、ソーラーセル（太陽電池）からなるソーラー発電装置を備えた無線機能付き機器類に用いた場合にも、上板部材３４が、下板部材３２に対して平行に配置されていれば、図６に示したように、上板部材３４に形成された開口部３６を介して、下板部材
３２、すなわち、下板部材３２の下方に位置するソーラー発電装置２２に入射する光が、開口部３６に対して、一定の採光面積で斜めに入射することになり、ソーラー発電装置２２に入射する採光面積が、開口部３６の面積よりも一定の割合で大きくなり、一定の発電効率を得ることができる。
【０１６８】
なお、この実施例の表示板２４では、上板部材３４が、下板部材３２に対して平行に配置したが、図示しないが、上板部材３４が、下板部材３２に対して傾斜するように配置することもできる。
【０１６９】
このように上板部材３４が、下板部材３２に対して傾斜するように配置されているので、傾斜した上板部材３４に形成された開口部３６を介して、下板部材３２、すなわち、下板部材３２の下方に位置するアンテナ２６、ソーラー発電装置２２に入射する電波の領域、採光面積が、開口部３６の面積よりもさらに大きくなり、アンテナ２６の受信感度、発電効率がさらに向上する。
【０１７０】
また、この実施例の表示板２４では、上板部材３４の視認側に、第１の指標部が配置されるように構成されている。
すなわち、ムーブメント２０より突出して、ソーラー発電装置２２と表示板２４とを貫通する針軸３８には、図３に示したように、時針４０と、分針４２と、日付針４４と、クロノグラフ秒針４６が配置される。これらの時針４０と、分針４２と、日付針４４と、クロノグラフ秒針４６とは、表示板２４の上板部材３４と風防１８との間に位置して時刻などの第１の指標部が示す指標情報を表示するようになっている。
【０１７１】
すなわち、上板部材３４の視認側に、第１の指標部として、例えば、時針４０と、分針４２と、日付針４４と、クロノグラフ秒針４６などを配置することができ、上板部材３４に遮られることなく、これらの第１の指標部が示す指標情報を視認することができる。
【０１７２】
なお、この場合、第１の指標部としては、特に限定されるものではなく、上記以外にも、例えば、充電量表示針、クロノグラフ時針、クロノグラフ分針、秒針、月齢表示部などとすることもできる。
【０１７３】
一方、この実施例の表示板２４では、図１、図３に示したように、下板部材３２の視認側に、第２の指標部が配置されるように構成されている。
すなわち、下板部材３２の視認側の表面に、第２の指標部として、例えば、充電量表示針４８、クロノグラフ時針５０、クロノグラフ分針５２、秒針５４、月齢表示部５６などを配置することができ、上板部材３４に形成された開口部３６を介して、これらの第２の指標部が示す指標情報を視認することができる。
【０１７４】
なお、この場合、第２の指標部としては、特に限定されるものではなく、上記以外にも、例えば、時針、分針、日付針などとすることもできる。
また、この実施例の表示板２４では、図３に示したように、上板部材３４の開口部３６が、下板部材３２に形成された第２の指標部に対応するように形成されている。
【０１７５】
このように上板部材３４の開口部３６が、下板部材３２に形成された第２の指標部に対応するように、例えば、開口部３６の形状、サイズ、個数、配置位置に応じて、上板部材３４の開口部３６として、例えば、円形状、楕円形状、矩形状など様々な形状、サイズ、個数、配置位置を選択することができるようになっている。
【０１７６】
このように構成することによって、第２の指標部に対応するように形成された上板部材３４の開口部３６を介して、下板部材３２に形成された第２の指標部が示す指標情報を確
実に視認することができる。
【０１７７】
さらに、この実施例の表示板２４では、上板部材３４が、下板部材３２に立設した支柱部材５８によって、下板部材３２と一定間隔離間するように配置されている。
すなわち、図４、図５に示したように、下板部材３２に立設した４本の支柱部材５８の上面に形成されたネジ孔５８ａに、固定ネジ６０を螺合することによって、上板部材３４が、下板部材３２に立設した支柱部材５８によって、下板部材３２と一定間隔離間するように配置されている。
【０１７８】
このように構成することによって、下板部材３２に立設した支柱部材５８によって、上板部材３４が、下板部材３２と一定間隔離間するので、上板部材３４に形成された開口部３６を介して、下板部材３２、すなわち、下板部材３２の下方に位置するアンテナ２６に入射する電波が、開口部３６に対して、一定の領域で斜めに入射することになり、アンテナ２６に入射する電波の領域が、開口部の面積よりも一定の割合で大きくなり、一定のアンテナ２６の受信感度を得ることができる。
【０１７９】
また、例えば、ソーラーセル（太陽電池）からなるソーラー発電装置を備えた無線機能付き機器類に用いた場合にも、下板部材３２に立設した支柱部材５８によって、上板部材３４が、下板部材３２と一定間隔離間するので、上板部材３４に形成された開口部３６を介して、下板部材３２、すなわち、下板部材３２の下方に位置するソーラー発電装置２２に入射する光が、開口部３６に対して、一定の採光面積で斜めに入射することになり、ソーラー発電装置２２に入射する採光面積が、開口部３６の面積よりも一定の割合で大きくなり、一定の発電効率を得ることができる。
【０１８０】
なお、この場合、支柱部材５８の形状、サイズ、個数、配置位置としては、特に限定されるものではなく、デザインなどに応じて、例えば、円柱形状、楕円柱形状、矩形柱状など様々な形状、サイズ、個数、配置位置を選択することができる。
【０１８１】
また、この場合、この実施例では、固定ネジ６０を螺合することによって、上板部材３４が、下板部材３２に立設した支柱部材５８によって、下板部材３２と一定間隔離間するように配置したが、上板部材３４が、圧入、カシメ、リベット留め、ロー付け、溶接から選択した少なくとも一つの手段によって支柱部材５８により、下板部材３２に固定されていてもよい。
【０１８２】
このように上板部材３４が、圧入、カシメ、リベット留め、ロー付け、溶接から選択した少なくとも一つの手段によって、下板部材３２に固定されているので、支柱部材５８を介して、上板部材３４を、簡単にしかも強固に下板部材３２に固定することができる。
【０１８３】
さらに、図示しないが、後述する実施例３のように、上板部材３４の視認側に、表示リング部材６８を配置することもできる。
【０１８４】
（実施例２）
図７は、本発明の表示板を、ソーラーセル（太陽電池）からなるソーラー発電装置を備えた無線機能付きソーラー腕時計に組み込んだ状態を説明する別の実施例の無線機能付きソーラー腕時計の正面図、図８は、図７の無線機能付きソーラー腕時計の断面図、図９は、図７の無線機能付きソーラー腕時計の表示板部分の正面図、図１０は、図７の無線機能付きソーラー腕時計の表示板部分の斜視図、図１１は、図７の無線機能付きソーラー腕時計の表示板部分の部分拡大断面図である。
【０１８５】
この実施例の表示板２４は、図１〜図６に示した表示板２４と基本的には同様な構成で
あり、同一の構成部材には、同一の参照番号を付して、その詳細な説明を省略する。
この実施例の表示板２４では、上板部材３４が、下板部材３２に対して、視認側に膨出する部分を有している。
【０１８６】
具体的には、図７〜図１１に示したように、この実施例の表示板２４では、膨出部分６２が、上板部材３４の外周部分から、中心部分に向かってドーム形状に膨出するように形成されている。
【０１８７】
また、このように、中心部分に向かってより大きく膨出する、いわゆるドーム形状とすることによって、傾斜した膨出部分に形成された開口部３６が傾斜した状態になっており、この開口部３６を介して、下板部材３２、すなわち、下板部材３２の下方に位置するアンテナ２６に入射する電波の領域が、開口部３６の面積よりもさらに大きくなり、アンテナ２６の受信感度がさらに向上する。
【０１８８】
また、例えば、ソーラーセル（太陽電池）からなるソーラー発電装置を備えた無線機能付き機器類に用いた場合にも、中心部分に向かってより大きく膨出する、いわゆるドーム形状とすることによって、図１１の矢印Ｃで示したように、傾斜した膨出部分に形成された開口部３６が傾斜した状態になっており、この開口部３６を介して、下板部材３２、すなわち、下板部材３２の下方に位置するソーラー発電装置に入射する採光面積(Ｌ３)が、開口部３６の面積(Ｌ４)よりもさらに大きくなり、発電効率がさらに向上する。
【０１８９】
なお、この場合、図１１に示したように、開口部３６は、下板部材３４と離間した領域を含むものである。すなわち、図１１に示したように、下板部材３４と上板部材３２との接合部分である水平部分３２ａ、３４ａの領域まで、開口部３６が形成されていても良く、これにより、アンテナ２６に入射する電波の領域、採光面積が大きくなるように構成されている。
【０１９０】
しかも、このような上板部材３４の視認側に膨出する部分の傾斜した膨出部分６２に形成された開口部３６を介して、例えば、中心部分に位置する下板部材３２、下板部材３２に形成した前述した第２の指標部、針軸３８などの部分までを外部から立体的に視認することができるので、斬新な立体的で高級感に溢れる外観品質を有し、デザインバリエーションの拡大を図れる表示板を提供することが可能である。
【０１９１】
また、図１１に示したように、中心部分に向かってドーム形状に膨出する膨出部分６２の最上部までの距離（間隙Ｓ２）は、特に限定されるものではなく、無線機能付きソーラー腕時計１０のハウジング１２の厚さ、デザインなどに応じて、適宜変更することが可能である。
【０１９２】
なお、この場合、視認側に膨出する部分６２は、この実施例のように、中心部分に向かってより大きく膨出する、いわゆるドーム形状とすることもできるが、その形状、配置位置、数、膨出高さなどは特に限定されるものではなく、例えば、部分的に複数の部分を膨出することによって、さらに、立体的に斬新なデザインの表示板を提供することができる。
【０１９３】
また、この実施例の表示板２４では、図１１に示したように、上板部材３４と下板部材３２とが、上板部材３４の水平部分３４ａと下板部材３２の水平部分３２aにおいて、図
示しない接合層を介して、固定されている。
【０１９４】
このように、上板部材３４と下板部材３２とが、接合層を介して、固定されていれば、上板部材３４と下板部材３２とがずれることがなく、上板部材３４と下板部材３２とを一
定間隔離間して固定できる。
【０１９５】
このため、上板部材３４に形成された開口部３６を介して、下板部材３２、すなわち、下板部材３２の下方に位置するアンテナ２６に入射する電波が、開口部３６に対して、一定の面積で斜めに入射することになり、アンテナ２６に入射する電波の領域が、開口部３６の面積よりも一定の割合で大きくなり、一定のアンテナ２６の受信感度を得ることができる。
【０１９６】
また、例えば、ソーラーセル（太陽電池）からなるソーラー発電装置を備えた無線機能付き機器類に用いた場合にも、上板部材３４に形成された開口部３６を介して、下板部材３２、すなわち、下板部材３２の下方に位置するソーラー発電装置に入射する光が、開口部３６に対して、一定の採光面積で斜めに入射することになり、ソーラー発電装置に入射する採光面積が、開口部３６の面積よりも一定の割合で大きくなり、一定の発電効率を得ることができる。
【０１９７】
また、上板部材３４と下板部材３２とを、接合層を介して、固定するので、械的強度が低下することなく固定することができ、また、この固定により、時計の針が揺動することなく、正確な時間を指示することができる。
【０１９８】
また、この実施例の表示板２４では、接合層が、接着剤、粘着剤、接合テープから選択した少なくとも一つの接合層から構成することができる。
このように、上板部材３４と下板部材３２とが、接着剤、粘着剤、接合テープから選択した少なくとも一つの接合層を介して、固定されているので、上板部材３４と下板部材３２とを一体的に強固に固定でき、全体として表示板２４を構成することができる。
【０１９９】
なお、この実施例の表示板２４では、上板部材３４と下板部材３２とが、上板部材３４の水平部分３４ａと下板部材３２の水平部分３２aにおいて、接合層を介して、固定したが、図示しないが、後述する実施例３のように、支柱部材５８の少なくとも一方の端部に、フランジ部分６４を形成するとともに、上板部材３４と下板部材３２の少なくとも一方にフランジ収容凹部６６を形成して、フランジ部分６４を、フランジ収容凹部６６に嵌合することによって、上板部材３４が、下板部材３２と一定間隔離間するように配置されていてもよい。
【０２００】
このように構成することによって、支柱部材５８の少なくとも一方の端部に形成されたフランジ部分６４を、上板部材３４と下板部材３２の少なくとも一方に形成されたフランジ収容凹部６６に嵌合するだけで、上板部材３４と下板部材３２とがずれることがなく、上板部材３４と下板部材３２とを一定間隔離間して強固に固定できる。
【０２０１】
このため、上板部材３４に形成された開口部３６を介して、下板部材３２、すなわち、下板部材３２の下方に位置するアンテナ２６に入射する電波が、開口部３６に対して、一定の領域で斜めに入射することになり、アンテナ２６に入射する電波の領域が、開口部３６の面積よりも一定の割合で大きくなり、一定のアンテナ２６の受信感度を得ることができる。
【０２０２】
また、例えば、ソーラーセル（太陽電池）からなるソーラー発電装置を備えた無線機能付き機器類に用いた場合にも、上板部材３４に形成された開口部３６を介して、下板部材３２、すなわち、下板部材３２の下方に位置するソーラー発電装置２２に入射する光が、開口部３６に対して、一定の採光面積で斜めに入射することになり、ソーラー発電装置２２に入射する採光面積が、開口部３６の面積よりも一定の割合で大きくなり、一定の発電効率を得ることができる。
【０２０３】
また、上板部材３４と下板部材３２とが、フランジ部分６４を、フランジ収容凹部６６に嵌合することによって、固定するように構成したので、械的強度が低下することなく、強固に固定でき、しかも、加工が容易で、さらに、この強固な固定によって、時計の針が揺動することなく、正確な時間を指示することができる。
【０２０４】
（実施例３）
図１２は、本発明の表示板を、ソーラーセル（太陽電池）からなるソーラー発電装置を備えた無線機能付きソーラー腕時計に組み込んだ状態を説明する別の実施例の無線機能付きソーラー腕時計の正面図、図１３は、図１２の無線機能付きソーラー腕時計の断面図、図１４は、図１２の無線機能付きソーラー腕時計の表示板部分の正面図、図１５は、図１４の無線機能付きソーラー腕時計の表示板部分の斜視図、図１６は、図１４の無線機能付きソーラー腕時計の表示板部分の側面図、図１７は、図１４の無線機能付きソーラー腕時計の表示板の下板部材３２と上板部材３４との固定状態を説明する斜視図、図１８は、図１４の無線機能付きソーラー腕時計の表示板の下板部材３２と上板部材３４との固定状態を説明する分解斜視図、図１９は、図１４の無線機能付きソーラー腕時計の表示板の下板部材３２と上板部材３４との固定状態を説明する部分拡大断面図、図２０は、図１４の無線機能付きソーラー腕時計の表示板の下板部材３２と上板部材３４との固定状態を説明する部分拡大斜視図である。
【０２０５】
この実施例の表示板２４は、図７〜図１１に示した表示板２４と基本的には同様な構成であり、同一の構成部材には、同一の参照番号を付して、その詳細な説明を省略する。
この実施例の表示板２４では、上板部材３４の視認側に、表示リング部材６８が配置されている。
【０２０６】
このように、上板部材３４の視認側に、表示リング部材６８を配置することによって、より立体的なデザインとなり、装飾性に優れ、立体的で、斬新で、かつ高級感に溢れる外観品質を有し、デザインバリエーションの拡大を図れる表示板を提供することが可能である。
【０２０７】
また、表示リング部材６８に、例えば、時針、分針、日付針、クロノグラフ秒針、充電量表示針、クロノグラフ時針、クロノグラフ分針、秒針、月齢表示部、ロゴマークなど示す指標情報を表示する表示部分を設けることによって、これらの指標情報を確実に視認することができる。
【０２０８】
また、この実施例の表示板２４では、下板部材３２に立設した支柱部材５８を、図１７〜図２０に示したように、上板部材３４に形成した支柱部材用開口部７０に挿通した後、固定ネジ６０を、表示リング部材６８の固定用開口部６８ａを介して、支柱部材５８の上部に形成したネジ孔５８ａに締め付けることによって、表示リング部材６８が、下板部材３２と一定間隔離間するように配置されている。
【０２０９】
このように構成することによって、下板部材３２に立設した支柱部材５８によって、表示リング部材６８が、下板部材３２と一定間隔離間するように確実に配置することができる。
【０２１０】
この場合、支柱部材５８としては、前述したような上板部材３４を下板部材３２と一定間隔離間するように固定する支柱部材５８を用いてもよく、また、別の支柱部材５８を用いてもよい。
【０２１１】
また、この実施例の表示板２４では、図１５〜図２０に示したように、上板部材３４に
は、支柱部材用開口部７０が形成され、支柱部材用開口部７０に支柱部材５８を挿通することによって、表示リング部材６８が、上板部材３４と一定間隔離間するように配置されている。
【０２１２】
このように構成することによって、上板部材３４に形成された支柱部材用開口部７０に支柱部材５８を挿通することによって、表示リング部材６８を、上板部材３４と一定間隔離間するように確実に配置することができる。
【０２１３】
なお、この場合、図１６に示したように、表示リング部材６８と下板部材３２との間の距離（間隙Ｓ３）は、特に限定されるものではなく、中心部分に向かってドーム形状に膨出する膨出部分６２の最上部までの距離（間隙Ｓ２）と略同じ距離にするなど、無線機能付きソーラー腕時計１０のハウジング１２の厚さ、デザインなどに応じて、適宜変更することが可能である。
【０２１４】
また、この実施例の表示板２４では、図１９、図２０に示したように、支柱部材５８の少なくとも一方の端部に、この実施例では、ソーラー発電装置２２側に、フランジ部分６４が形成され、表示リング部材６８と下板部材３２の少なくとも一方に、この実施例では、下板部材３２側にフランジ収容凹部６６が形成されている。
【０２１５】
そして、フランジ部分６４を、フランジ収容凹部６６に嵌合することによって、表示リング部材６８が、下板部材３２と一定間隔離間するように配置されている。
なお、この実施例の表示板２４では、図１９、図２０に示したように、支柱部材５８の一方の端部であるソーラー発電装置２２側に、フランジ部分６４を形成するとともに、下板部材３２側にフランジ収容凹部６６を形成したが、支柱部材５８の視認側にフランジ部分６４を形成して、上板部材３４側にフランジ収容凹部６６を形成することも、上記のいずれの側にも、それぞれ、フランジ部分６４、フランジ収容凹部６６を形成することも可能である。
【０２１６】
このように構成することによって、支柱部材５８の少なくとも一方の端部に形成されたフランジ部分６４を、表示リング部材６８と下板部材３２の少なくとも一方に形成されたフランジ収容凹部６６に嵌合するだけで、表示リング部材６８と下板部材３２とがずれることがなく、表示リング部材６８と下板部材３２とを一定間隔離間して強固に固定できる。
【０２１７】
また、表示リング部材６８と下板部材３２とが、フランジ部分６４を、フランジ収容凹部６６に嵌合することによって、固定するように構成したので、機械的強度が低下することなく、強固に固定でき、しかも、加工が容易である。
【０２１８】
この場合、フランジ部分６４、フランジ収容凹部６６の形状、厚さ、深さなどは、特に限定されるものではなく、例えば、円形状、三角形状、四角形状、星型など様々な形状のフランジ部分６４、フランジ収容凹部６６を選択することができる。
【０２１９】
このため、上板部材３４に形成された開口部３６を介して、下板部材３２、すなわち、下板部材３２の下方に位置するアンテナ２６に入射する電波が、開口部３６に対して、一定の領域で斜めに入射することになり、アンテナ２６に入射する電波の領域が、開口部３６の面積よりも一定の割合で大きくなり、一定のアンテナ２６の受信感度を得ることができる。
【０２２０】
また、例えば、ソーラーセル（太陽電池）からなるソーラー発電装置を備えた無線機能付き機器類に用いた場合にも、上板部材３４に形成された開口部３６を介して、下板部材
３２、すなわち、下板部材３２の下方に位置するソーラー発電装置２２に入射する光が、開口部３６に対して、一定の採光面積で斜めに入射することになり、ソーラー発電装置２２に入射する採光面積が、開口部３６の面積よりも一定の割合で大きくなり、一定の発電効率を得ることができる。
【０２２１】
（実施例４）
図２１は、本発明の表示板を、ソーラーセル（太陽電池）からなるソーラー発電装置を備えた無線機能付きソーラー腕時計に組み込んだ状態を説明する実施例２、３の無線機能付きソーラー腕時計の磁束の状態を説明する部分拡大断面図である。
【０２２２】
図２１に示したように、下板部材３２の下方に位置するアンテナ２６と上板部材３４との間が一定間隔離間しているので、図２１の矢印で示したように、導電性材料から構成される上板部材３４による磁束の干渉が発生せず、アンテナの受信感度が低下することがなく、さらに、アンテナ２６を、上板部材３４の開口部３６の近傍に対応して配置できるので、アンテナの配置位置を自由に選択でき、その結果、デザインのバリエーションが拡大する。
【０２２３】
また、この場合、図２１に示したように、アンテナ２６の軸線が、下板部材３２に対して平行な形状である。このように構成することによって、アンテナ２６の収容容積が大きくなることがなく、アンテナ２６の装着作業も容易である、厚さが薄くコンパクトなソーラーセル機器類を提供することができる。
【０２２４】
（実施例５）
図２２は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【０２２５】
この実施例では、図２２に示したように、アンテナ２６が、上板部材３４の開口部３６に対応して配置されている。
このように、アンテナ２６が、上板部材３４の開口部３６に対応して配置され、上板部材３４と下板部材３２とが、一定間隔離間するので、上板部材３４に形成された開口部３６を介して、下板部材３２の下方に位置するアンテナ２６が、電波を受信することができる領域が広がり、上板部材３４の開口部３６に対応して配置されたアンテナ２６に電波がさらに効率的に入射できる。
【０２２６】
しかも、下板部材３２の下方に位置するアンテナ２６と上板部材３４との間も一定間隔離間しているので、導電性材料から構成される上板部材３４による磁束の干渉が発生せず、アンテナ２６の受信感度が低下することがなく、さらに、アンテナ２６を、上板部材３４の開口部３６に対応して配置することができるので、アンテナ２６の配置位置を自由に選択でき、その結果、デザインのバリエーションが拡大する。
【０２２７】
（実施例６）
図２３は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図、図２４は、図２３の無線機能付きソーラー腕時計の磁束の状態を説明する部分拡大断面図である。
【０２２８】
この実施例では、図２３、図２４に示したように、アンテナ２６の少なくとも一方の開放端部、この実施例では、両方の開放端部２６ａ、２６ｂが、上板部材３４の開口部３６の近傍に対応して配置されている。
【０２２９】
このように、アンテナ２６の少なくとも一方の開放端部が、上板部材３４の開口部３６の近傍に対応して配置され、上板部材３４と下板部材３２とが、一定間隔離間するので、上板部材３４に形成された開口部３６を介して、上板部材３４の開口部３６の近傍に対応して配置されたアンテナ２６の少なくとも一方の開放端部を介して、電波を受信することができ、アンテナ２６に電波がさらに効率的に入射できる。
【０２３０】
しかも、図２４の矢印で示したように、下板部材３２の下方に位置するアンテナ２６と上板部材３４との間も一定間隔離間しているので、導電性材料から構成される上板部材３４による磁束の干渉が発生せず、アンテナ２６の受信感度が低下することがなく、さらに、アンテナ２６の少なくとも一方の開放端部を、上板部材３４の開口部３６の近傍に対応して配置することができるので、アンテナ２６の配置位置を自由に選択でき、その結果、デザインのバリエーションが拡大する。
【０２３１】
なお、この実施例では、両方の開放端部２６ａ、２６ｂが、上板部材３４の開口部３６の近傍に対応して配置したが、図示しないが、アンテナ２６の少なくとも一方の開放端部２６ａ、２６ｂが、上板部材３４の開口部３６の近傍に対応して配置すればよい。
【０２３２】
（実施例７）
図２５は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【０２３３】
この実施例では、図２５に示したように、アンテナ２６の少なくとも一方の開放端部２６ａ、２６ｂ、この実施例では、開放端部２６ａが、上板部材３４の開口部３６に対応して配置されている。
【０２３４】
このように、アンテナ２６の少なくとも一方の開放端部２６ａ、２６ｂが、上板部材３４の開口部３６に対応して配置され、上板部材３４と下板部材３２とが、一定間隔離間するので、上板部材３４に形成された開口部３６を介して、上板部材３４の開口部３６に対応して配置されたアンテナ２６の少なくとも一方の開放端部２６ａ、２６ｂを介して、電波を受信することができ、アンテナ２６に電波がさらに効率的に入射できる。
【０２３５】
しかも、下板部材３２の下方に位置するアンテナ２６と上板部材３４との間も一定間隔離間しているので、導電性材料から構成される上板部材３４による磁束の干渉が発生せず、アンテナ２６の受信感度が低下することがなく、さらに、アンテナ２６の少なくとも一方の開放端部を、上板部材３４の開口部３６に対応して配置することができるので、アンテナ２６の配置位置を自由に選択でき、その結果、デザインのバリエーションが拡大する。
【０２３６】
（実施例８）
図２６は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【０２３７】
この実施例では、図２６に示したように、アンテナ２６の開放端部２６ａ、２６ｂが、上板部材３４の異なる開口部３６に対応して配置されている。
このように、アンテナ２６の開放端部２６ａ、２６ｂが、上板部材３４の異なる開口部３６に対応して配置され、上板部材３４と下板部材３２とが、一定間隔離間するので、上
板部材３４に形成された開口部３６を介して、上板部材３４の異なる開口部３６に対応してそれぞれ配置されたアンテナ２６の開放端部２６ａ、２６ｂを介して、電波を受信することができ、アンテナ２６に電波がさらに効率的に入射できる。
【０２３８】
しかも、下板部材３２の下方に位置するアンテナ２６と上板部材３４との間も一定間隔離間しているので、導電性材料から構成される上板部材３４による磁束の干渉が発生せず、アンテナ２６の受信感度が低下することがなく、さらに、アンテナ２６のアンテナ２６の開放端部２６ａ、２６ｂを、上板部材３４の異なる開口部３６に対応して配置することができるので、アンテナ２６の配置位置を自由に選択でき、その結果、デザインのバリエーションが拡大する。
【０２３９】
この場合、この実施例では、隣接する開口部３６に、アンテナ２６の開放端部２６ａ、２６ｂが、上板部材３４の異なる開口部３６に対応して配置したが、図示しないが、隣接しない開口部３６にアンテナ２６の開放端部２６ａ、２６ｂを配置することも可能である。
【０２４０】
（実施例９）
図２７は、本発明の表示板を、ソーラーセル（太陽電池）からなるソーラー発電装置を備えた無線機能付きソーラー腕時計に組み込んだ状態を説明する無線機能付きソーラー腕時計の磁束の状態を説明する部分拡大断面図、図２８は、本発明の表示板を、ソーラーセル（太陽電池）からなるソーラー発電装置を備えた無線機能付きソーラー腕時計に組み込んだ状態を説明する無線機能付きソーラー腕時計の磁束の状態を説明する部分拡大断面図である。
【０２４１】
この実施例では、図２７、図２８に示したように、アンテナ２６が、下板部材３２に対して下方に屈曲する形状である。
このように構成することによって、図２７、図２８の矢印で示したように、導電性材料から構成される上板部材３４と、アンテナ２６の距離が離れていることになるので、導電性材料から構成される上板部材３４による磁束の干渉が発生せず、アンテナ２６の受信感度が低下することがなく、さらに、アンテナ２６の配置位置を自由に選択でき、その結果、デザインのバリエーションが拡大する。
【０２４２】
なお、図２７の実施例では、アンテナ２６が、上板部材３４の開口部３６に対応して配置されていない（開口部３６の近傍に配置している）が、図２８の実施例では、上板部材３４の開口部３６に対応して配置した実施例を示している。
【０２４３】
（実施例１０）
図２９は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図、図３０は、図２９の無線機能付きソーラー腕時計の磁束の状態を説明する部分拡大断面図である。
【０２４４】
この実施例では、図２９、図３０に示したように、アンテナ２６の少なくとも一方の開放端部２６ａ、２６ｂが、この実施例では、両方の開放端部２６ａ、２６ｂが、無線機能付き機器類の中心部分に向くように平面的に屈曲した形状である。
【０２４５】
このようにアンテナ２６の少なくとも一方の開放端部２６ａ、２６ｂが、無線機能付き機器類の中心部分に向くように平面的に屈曲した形状であっても、上板部材３４と下板部材３２とが、一定間隔離間するので、上板部材３４に形成された開口部３６を介して、下板部材３２の下方に位置するアンテナ２６が、電波を受信することができる領域が広がり
、アンテナ２６の少なくとも一方の開放端部２６ａ、２６ｂが、無線機能付き機器類の中心部分に向くように平面的に屈曲した形状のアンテナ２６にも、電波が入射できる。
【０２４６】
しかも、図３０の矢印で示したように、下板部材３２の下方に位置するアンテナ２６と上板部材３４との間も一定間隔離間しているので、導電性材料から構成される上板部材３４による磁束の干渉が発生せず、アンテナ２６の受信感度が低下することがなく、さらに、アンテナ２６を、上板部材３４の開口部３６の近傍に対応して配置することができるので、アンテナ２６の配置位置を自由に選択でき、その結果、デザインのバリエーションが拡大する。
【０２４７】
なお、この実施例では、両方の開放端部２６ａ、２６ｂが、無線機能付き機器類の中心部分に向くように平面的に屈曲した形状であるが、図示しないが、アンテナ２６の少なくとも一方の開放端部２６ａ、２６ｂが、無線機能付き機器類の中心部分に向くように平面的に屈曲した形状のアンテナ２６とすればよい。
【０２４８】
（実施例１１）
図３１は、本発明の表示板を、ソーラーセル（太陽電池）からなるソーラー発電装置を備えた無線機能付きソーラー腕時計に組み込んだ状態を説明する別の実施例の分解斜視図、図３２は、図３１の無線機能付きソーラー腕時計の断面図である。
【０２４９】
この実施例は、実施例３の無線機能付きソーラー腕時計１０と基本的には同様な構成であり、同一の構成部材には、同一の参照番号を付して、その詳細な説明を省略する。
上記の実施例では、ムーブメント２０と表示板２４の下板部材３２との間に平板状のソーラーセルからなるソーラー発電装置２２を設けたが、この実施例の無線機能付きソーラー腕時計１０では、図３１、図３２に示したように、表示板２４の周縁部のリング形状の見返しリング１３を設け、この見返しリング１３の外周に、リング形状のソーラーセルからなるソーラー発電装置２２を設けた点が相違する。
【０２５０】
このような構成によって、さらに、薄型でコンパクトな無線機能付きソーラー腕時計１０を適用できるものである。もちろん、この場合にも、上記の実施例１〜１１の表示板２４、アンテナ２６のいずれの実施例のものを適用することができる。
【０２５１】
以上、本発明の好ましい実施の態様を説明してきたが、本発明はこれに限定されることはなく、例えば、上記実施例では、本発明の表示板を、ソーラーセル（太陽電池）からなるソーラー発電装置を備えた無線機能付きソーラー腕時計に適用したが、ソーラー発電装置を使った卓上計算機などのソーラーセル機器類に用いることもできる。
【０２５２】
さらには、ソーラーセル機器類以外にも、例えば、無線機能付きの、時計用の表示板、卓上計算機、自動車、飛行機の計器パネル、携帯電話などのモバイル機器などの機器類の表示板としても用いることも可能であり、この場合には、下板部材３２は、光透過性の基板でなくてもよいなど本発明の目的を逸脱しない範囲で種々の変更が可能である。
【図面の簡単な説明】
【０２５３】
【図１】図１は、本発明の表示板を、ソーラーセル（太陽電池）からなるソーラー発電装置を備えた無線機能付きソーラー腕時計に組み込んだ状態を説明する無線機能付きソーラー腕時計の正面図である。
【図２】図２は、図１の無線機能付きソーラー腕時計の断面図である。
【図３】図３は、図１の無線機能付きソーラー腕時計の表示板部分の正面図である。
【図４】図４は、図１の無線機能付きソーラー腕時計の表示板部分の斜視図である。
【図５】図５は、図１の無線機能付きソーラー腕時計の表示板部分の側面図である。
【図６】図６は、図１の無線機能付きソーラー腕時計の表示板部分の部分拡大断面図である。
【図７】図７は、本発明の表示板を、ソーラーセル（太陽電池）からなるソーラー発電装置を備えた無線機能付きソーラー腕時計に組み込んだ状態を説明する別の実施例の無線機能付きソーラー腕時計の正面図である。
【図８】図８は、図７の無線機能付きソーラー腕時計の断面図である。
【図９】図９は、図７の無線機能付きソーラー腕時計の表示板部分の正面図である。
【図１０】図１０は、図７の無線機能付きソーラー腕時計の表示板部分の斜視図である。
【図１１】図１１は、図７の無線機能付きソーラー腕時計の表示板部分の部分拡大断面図である。
【図１２】図１２は、本発明の表示板を、ソーラーセル（太陽電池）からなるソーラー発電装置を備えた無線機能付きソーラー腕時計に組み込んだ状態を説明する別の実施例の無線機能付きソーラー腕時計の正面図である。
【図１３】図１３は、図１２の無線機能付きソーラー腕時計の断面図である。
【図１４】図１４は、図１２の無線機能付きソーラー腕時計の表示板部分の正面図である。
【図１５】図１５は、図１４の無線機能付きソーラー腕時計の表示板部分の斜視図である。
【図１６】図１６は、図１４の無線機能付きソーラー腕時計の表示板部分の側面図である。
【図１７】図１７は、図１４の無線機能付きソーラー腕時計の表示板の下板部材３２と上板部材３４との固定状態を説明する斜視図である。
【図１８】図１８は、図１４の無線機能付きソーラー腕時計の表示板の下板部材３２と上板部材３４との固定状態を説明する分解斜視図である。
【図１９】図１９は、図１４の無線機能付きソーラー腕時計の表示板の下板部材３２と上板部材３４との固定状態を説明する部分拡大断面図である。
【図２０】図２０は、図１４の無線機能付きソーラー腕時計の表示板の下板部材３２と上板部材３４との固定状態を説明する部分拡大斜視図である。
【図２１】図２１は、本発明の表示板を、ソーラーセル（太陽電池）からなるソーラー発電装置を備えた無線機能付きソーラー腕時計に組み込んだ状態を説明する実施例２、３の無線機能付きソーラー腕時計の磁束の状態を説明する部分拡大断面図である。
【図２２】図２２は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図２３】図２３は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図２４】図２４は、図２３の無線機能付きソーラー腕時計の磁束の状態を説明する部分拡大断面図である。
【図２５】図２５は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図２６】図２６は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図２７】図２７は、本発明の表示板を、ソーラーセル（太陽電池）からなるソーラー発電装置を備えた無線機能付きソーラー腕時計に組み込んだ状態を説明する無線機能付きソーラー腕時計の磁束の状態を説明する部分拡大断面図である。
【図２８】図２８は、本発明の表示板を、ソーラーセル（太陽電池）からなるソーラー発電装置を備えた無線機能付きソーラー腕時計に組み込んだ状態を説明する無線機能付きソーラー腕時計の磁束の状態を説明する部分拡大断面図である。
【図２９】図２９は、本発明の表示板を、ソーラーセル（太陽電池）からなるソーラー発電装置を備えた無線機能付きソーラー腕時計に組み込んだ状態を説明する別の実施例の無線機能付きソーラー腕時計の表示板部分の正面図である。
【図３０】図３０は、図２９の無線機能付きソーラー腕時計の磁束の状態を説明する部分拡大断面図である。
【図３１】図３１は、本発明の表示板を、ソーラーセル（太陽電池）からなるソーラー発電装置を備えた無線機能付きソーラー腕時計に組み込んだ状態を説明する別の実施例の分解斜視図である。
【図３２】図３２は、図３１の無線機能付きソーラー腕時計の断面図である。
【図３３】図３３は、従来の無線機能付き時計の上面図である。
【図３４】図３４は、従来の無線機能付きソーラー腕時計の表示板部分の部分拡大断面図である。
【符号の説明】
【０２５４】
１０   無線機能付きソーラー腕時計
１１   バンド
１２   ハウジング
１３   見返しリング
１４   時計ケース
１５   中枠部材
１６   裏蓋
１６ａ 上面
１８   風防
２０   ムーブメント
２０ａ 小径部
２２   ソーラー発電装置
２４   表示板
２６   アンテナ
２６ａ、２６ｂ       開放端部
２８   バンド取り付け部
３０   脚部
３２   下板部材
３２a  水平部分
３４   上板部材
３４ａ 水平部分
３６   開口部
３８   針軸
４０   時針
４２   分針
４４   日付針
４６   クロノグラフ秒針
４８   充電量表示針
５０   クロノグラフ時針
５２   クロノグラフ分針
５４   秒針
５６   月齢表示部
５８   支柱部材
５８ａ ネジ孔
６０   固定ネジ
６２   膨出部分
６４   フランジ部分
６６   フランジ収容凹部
６８   表示リング部材
６８ａ 固定用開口部
７０   支柱部材用開口部
１００ 電波時計
１１１ 時計ケース
１２０ 文字板
１２０Ａ      開口部
１２７ アンテナ
１４０ 日付表示板
２００ 表示板
２０２ 上板
２０４ 開口部
２０６ 下板
２０８ 開口部
２１０ ソーラー発電装置
Ｍ１   下面延長線
Ｍ２   中間仮想線
Ｓ１   間隙
Ｓ２   間隙
Ｓ３   間隙
【図１】
0005139863.tif 000002
【図２】
0005139863.tif 000003
【図３】
0005139863.tif 000004
【図４】
0005139863.tif 000005
【図５】
0005139863.tif 000006
【図６】
0005139863.tif 000007
【図７】
0005139863.tif 000008
【図８】
0005139863.tif 000009
【図９】
0005139863.tif 000010
【図１０】
0005139863.tif 000011
【図１１】
0005139863.tif 000012
【図１２】
0005139863.tif 000013
【図１３】
0005139863.tif 000014
【図１４】
0005139863.tif 000015
【図１５】
0005139863.tif 000016
【図１６】
0005139863.tif 000017
【図１７】
0005139863.tif 000018
【図１８】
0005139863.tif 000019
【図１９】
0005139863.tif 000020
【図２０】
0005139863.tif 000021
【図２１】
0005139863.tif 000022
【図２２】
0005139863.tif 000023
【図２３】
0005139863.tif 000024
【図２４】
0005139863.tif 000025
【図２５】
0005139863.tif 000026
【図２６】
0005139863.tif 000027
【図２７】
0005139863.tif 000028
【図２８】
0005139863.tif 000029
【図２９】
0005139863.tif 000030
【図３０】
0005139863.tif 000031
【図３１】
0005139863.tif 000032
【図３２】
0005139863.tif 000033
【図３３】
0005139863.tif 000034
【図３４】
0005139863.tif 000035